(57)【要約】【課題】後端部の方向へアイロンを移動させるときの使い勝手の向上と、アイロンかけ中の設定温度の不用意な変更を防止する。【解決手段】前端部６ａおよび後端部６ｂを尖形に形成してヒータ２によって加熱されるベース３と、前記ベースの上方に配設した握り部１１と、前記ベースを設定された温度に制御する温度制御部２９と、前記ベースの温度を設定する温度設定部２８とを備え、前記温度設定部を前記握り部に配設し、開閉自在なシャッター３２により前記温度設定部を覆蓋可能に構成したものである。【選択図】図２
2012217531.tif 000002
【特許請求の範囲】
【請求項１】
前端部および後端部を尖形に形成してヒータによって加熱されるベースと、前記ベースの上方に配設した握り部と、前記ベースを設定された温度に制御する温度制御部と、前記ベースの温度を設定する温度設定部とを備え、前記温度設定部を前記握り部に配設し、開閉自在なシャッターにより前記温度設定部を覆蓋可能に構成したアイロン。
【請求項２】
シャッターは、開閉操作時の摺動方向を握り部の前後方向に設定し、後方への移動により温度設定部が露出するようにした請求項１記載のアイロン。
【請求項３】
シャッターは、温度設定部が露出する位置へ移動させたとき、握り部内に収容されるようにした請求項１または２記載のアイロン。
【請求項４】
シャッターは、略筒状に形成し、開閉操作時の摺動方向を握り部の周方向に設定した請求項１記載のアイロン。
【請求項５】
シャッターは、温度設定部が露出する位置に切欠き部を設けた請求項４記載のアイロン。
【請求項６】
温度設定部に温度表示部を設け、シャッターは、前記温度設定部の覆蓋時に少なくとも前記温度設定部を視認可能に構成した請求項１〜４のいずれか１項に記載のアイロン。
【請求項７】
アイロン本体と、前記アイロン本体を載置するスタンドとを具備し、前記アイロン本体は、後部に凹状の受電部を設けるとともに、前記受電部内に受電端子を設け、前記スタンドは、前記ベースを前上がりに傾斜させて載置する載置部を有し、前記受電部に嵌合する凸状の給電部を設けるとともに、前記給電部内に前記受電端子と接続する電極と、前記給電部の下方に前記ベースの後端部を収容する収容部とを設け、前記アイロン本体を前記スタンドに載置したとき、前記受電端子と前記電極の接続部が前記ベースの後端部より前方に位置するように設定した請求項１〜６のいずれか１項に記載のアイロン。
【請求項８】
アイロン本体の側面を受電部の開放端に向かって先細り状に形成した請求項７記載のアイロン。
【発明の詳細な説明】
【技術分野】
【０００１】
本発明は、衣類等のしわ伸ばしをおこなうアイロンに関するものである。
【背景技術】
【０００２】
従来、一般的なアイロンは、かけ面の先端部分を尖った形状にしてあり、衣類の上を滑らせることで、アイロンの進行方向へ衣類を押し広げながらアイロンかけをおこない、衣類のしわを伸ばすとともに、衣類のボタン周りの細かい作業が容易におこなえるようになっている。アイロンかけ作業は、アイロン台上の限られた広さの中でおこなわれるので、衣類の形を整えながら衣類に押圧力を加えてアイロンを往復移動させ、前進と後退の動作が繰り返される。アイロンのかけ面は、一般的に後部が尖っていないため、後退時は、アイロンに押圧力を加えず、衣類上でかけ面の後部を浮かせるようにして移動させることによって、アイロンでしわを付ける誤操作を防止することができる。
【０００３】
しかしながら、アイロンかけは、アイロンの前進と後退の往復動作で効率よく衣類のしわを伸ばすことができるので、後退時にかけ面の後部を浮かせるとしわ伸ばしの効率が低下することから、後退時にアイロンで衣類にしわを付けてしまう、所謂、戻りじわを付ける失敗は多く、アイロンで付けたしわはとり難いものである。
【０００４】
そこで、図１１に示すように、かけ面１０１の後端部１０２を尖った形状にすることが考えられている。このアイロンは、アイロンかけ作業中の小休止時にスタンドに載置して加熱し、使用時はスタンドから取り外してその余熱を利用し、電源コードが接続されていない状態でアイロンかけができるコードレスアイロンであり、コードが邪魔にならずに使い勝手がよく、後退時の戻りじわを防止することが考えられている（例えば、特許文献１参照）。
【０００５】
上記特許文献１に記載されたアイロンは、尖った後端部１０２の上方が把手体１０３で覆われており、衣類上でアイロンを後退させるときに、尖った後端部１０２の近傍の衣類が見えないという問題があることから、図１２に示すように、尖った後端部１０２を視認可能にする空間部１０４を設け、前進と後退の両方向移動で効率よくアイロンかけがおこなえるとともに、かけ面１０１の後端部１０２の方向へアイロンを後退させるときの使い勝手をよくすることが考えられている（例えば、特許文献２参照）。
【先行技術文献】
【特許文献】
【０００６】
【特許文献１】特開２００９−２８３８５号公報
【特許文献２】特開２０１０−２２０８０９号公報
【発明の概要】
【発明が解決しようとする課題】
【０００７】
しかしながら、前記従来の構成では、把手体の握り部１０５を把持した手で視線が遮られることから、アイロンを後退させるたびに、後端部１０２が視認可能な空間部１０４を覗くような姿勢になる。そこで、このような姿勢の負担を軽減するために、後端部１０２が前向きとなるように握り部１０５を他方の手に持ち替えて把持することにより、後端部１０２の方向へアイロンを前進させることができ、後退時の視認性と空間部１０４を覗くような姿勢の変化を解消することができる。
【０００８】
しかしながら、ベースの温度を設定する温度設定部が握り部に設けられていると、握り
部１０５を他方の手に持ち替えて、後端部１０２が前向きとなるように把持した場合、掌で温度設定部が覆われるため、アイロンかけ時に強い押圧力が握り部に作用すると、温度設定部が不用意に誤操作されるという問題が生じる。
【０００９】
近年、アイロンかけ時の使い勝手をよくするために、アイロン本体の小型化が進み、握り部１０５が小さく形成される。温度設定部が握り部１０５の上面に設けられる場合は、握り部１０５を把持した手の親指と人差し指との間に温度設定部が配設され、温度設定部に設けられる操作部や表示部の視認性が損なわれないようにしている。
【００１０】
アイロンの向きを変えずに他方の手に持ち替えると、温度設定部に設けられる操作部や表示部が掌で覆われるようになり、温度設定部の不用意な誤操作を防止するために、他方の手に持ち替えるときにアイロンの向きも同時に変える必要があり、温度設定部の不用意な誤操作の防止と、使い勝手の向上を同時に解決することが課題であった。
【００１１】
本発明は、前記従来の課題を解決するもので、後端部の方向へアイロンを移動させるときの温度設定部の誤操作の防止と、前進と後退の両方向移動の使い勝手をよくして、効率よくアイロンかけがおこなえるアイロンを実現することを目的とする。
【課題を解決するための手段】
【００１２】
前記従来の課題を解決するために、本発明のアイロンは、前端部および後端部を尖形に形成してヒータによって加熱されるベースと、前記ベースの上方に配設した握り部を有する把手体と、前記ベースを設定された温度に制御する温度制御部と、前記ベースの温度を設定する温度設定部とを備え、前記温度設定部を前記握り部に配設し、開閉自在なシャッターにより前記温度設定部を覆蓋可能に構成したものである。
【００１３】
これによって、後端部を前向きにして握り部を把持した場合でも、開閉自在なシャッターで温度設定部を覆うことができるため、アイロンかけ中に設定温度が不用意に変更される誤操作を防止することができ、設定された最適温度で効率よくアイロンかけをおこなうことができるとともに、後端部の方向へアイロンを移動させるときの視認性をよくしてアイロンでしわを付ける誤操作を防止することができる。
【発明の効果】
【００１４】
本発明のアイロンは、後端部の方向へアイロンを移動させるときの使い勝手の向上と、アイロンかけ中に設定温度が不用意に変更されることを防止することができ、前進と後退の両方向移動で効率よくアイロンかけをおこなうことができる。
【図面の簡単な説明】
【００１５】
【図１】本発明の実施の形態１におけるアイロンの側面図
【図２】同アイロンの温度設定部が露出した状態の要部上面図
【図３】同アイロンの温度設定部が覆蓋された状態の要部上面図
【図４】同アイロンの要部断面図
【図５】同アイロンの要部上面図
【図６】本発明の実施の形態２におけるアイロンの側面図
【図７】同アイロンの温度設定部が露出した状態の要部上面図
【図８】同アイロンの温度設定部が露出した状態の要部断面図
【図９】同アイロンの温度設定部が覆蓋された状態の要部上面図
【図１０】同アイロンの温度設定部が覆蓋された状態の要部断面図
【図１１】従来のアイロンのかけ面の下面図
【図１２】従来のアイロンの他の例の後部斜視図
【発明を実施するための形態】
【００１６】
第１の発明は、前端部および後端部を尖形に形成してヒータによって加熱されるベースと、前記ベースの上方に配設した握り部と、前記ベースを設定された温度に制御する温度制御部と、前記ベースの温度を設定する温度設定部とを備え、前記温度設定部を前記握り部に配設し、開閉自在なシャッターにより前記温度設定部を覆蓋可能に構成したことにより、アイロンの向きを変えることなく、後端部を前向きにして握り部を把持した場合でも、温度設定部が開閉自在なシャッターにより覆われるため、アイロンかけ中に設定温度が不用意に変更される誤操作を防止することができ、設定された最適温度で効率よくアイロンかけをおこなうことができるとともに、後端部の方向へアイロンを移動させるときの視認性をよくしてアイロンでしわを付ける誤操作を防止することができる。
【００１７】
第２の発明は、特に、第１の発明のシャッターは、開閉操作時の摺動方向を握り部の前後方向に設定し、後方への移動により温度設定部が露出するようにしたことにより、シャッターの移動量を少なくすることができ、温度設定部を覆蓋するときと、露出時の切り替え操作を容易におこなうことができる。温度設定部は、一般に温度を表示する温度表示部の後方側に設けられるため、少なくとも温度設定部を覆蓋することによって設定温度が不用意に変更される誤操作を防止することができる。
【００１８】
第３の発明は、特に、第１または第２の発明のシャッターは、温度設定部が露出する位置へ移動させたとき、握り部内に収容されるようにしたことにより、温度設定部を操作可能な状態にしたときに、シャッターが握り部の表面に露出することがなく、握り具合が損なわれるのを防止して、使い勝手をよくすることができる。
【００１９】
第４の発明は、特に、第１の発明のシャッターは、略筒状に形成し、開閉操作時の摺動方向を握り部の周方向に設定したことにより、アイロンを前後方向へ移動させたときに、握り部に力が作用する方向と交差する方向に、シャッターの摺動方向を設定することができ、シャッターを所定の位置に保持することができる。
【００２０】
第５の発明は、特に、第４の発明のシャッターは、温度設定部が露出する位置に切欠き部を設けたことにより、シャッターによる温度設定部の露出と覆蓋を容易におこなうことができる。
【００２１】
第６の発明は、特に、第１〜第４のいずれか１つの発明において、温度設定部に温度表示部を設け、シャッターは、前記温度設定部の覆蓋時に少なくとも前記温度設定部を視認可能に構成したことにより、温度設定部を覆蓋した状態で設定温度を視認することができ、使い勝手をよくすることができる。
【００２２】
第７の発明は、特に、第１〜第６のいずれか１つの発明において、アイロン本体と、前記アイロン本体を載置するスタンドとを具備し、前記アイロン本体は、後部に凹状の受電部を設けるとともに、前記受電部内に受電端子を設け、前記スタンドは、前記ベースを前上がりに傾斜させて載置する載置部を有し、前記受電部に嵌合する凸状の給電部を設けるとともに、前記給電部内に前記受電端子と接続する電極と、前記給電部の下方に前記ベースの後端部を収容する収容部とを設け、前記アイロン本体を前記スタンドに載置したとき、前記受電端子と前記電極の接続部が前記ベースの後端部より前方に位置するように設定したことにより、後端部の方向へアイロンを移動させるときに戻りじわを付ける誤操作を防止することができるとともに、かけ面の面積が減少することなく後端部を尖形に形成することができるので、かけ面の熱容量を確保してアイロンかけ時の温度低下を少なくすることができ、使い勝手のよいコードレスアイロンを実現することができる。また、ベースの後端部が受電端子の後端部から後方へ突出するので、アイロンかけの後退時に後端部の視認性を確保し、前進と後退の両方向移動で効率よくアイロンかけがおこなえる。
【００２３】
第８の発明は、特に、第７の発明のアイロン本体の側面を受電部の開放端に向かって先細り状に形成したことにより、アイロンかけ時において、後端部の方向へアイロンを前進させるときに、ベースの後端部の視認性を確保することができ、後端部の方向へアイロンを移動させるときにアイロンでしわを付ける誤操作を防止することができ、使い勝手をよくすることができる。
【００２４】
以下、本発明の実施の形態について、図面を参照しながら説明する。なお、本実施の形態によって本発明が限定されるものではない。
【００２５】
（実施の形態１）
図１は、本発明の第１の実施の形態におけるアイロンの側面図、図２は、同アイロンの温度設定部が露出した状態の要部上面図、図３は、同アイロンの温度設定部が覆蓋された状態の要部上面図、図４は、同アイロンの要部断面図、図５は、同アイロンの要部上面図である。本実施の形態のアイロンは、アイロン本体をスタンドに載置して加熱し、使用時は、スタンドからアイロン本体を取り外し、加熱されたアイロンの余熱でアイロンかけをおこなう、所謂コードレスアイロンである。
【００２６】
図１〜図５において、アイロン本体１は、埋設したヒータ２によって加熱されるベース３と、このベース３の上面側に凹状に形成したスチームを発生させる気化室４と、ベース３の下面に気化室４で発生したスチームを噴出させるスチーム孔５を有し、ベース３の前端部６ａと後端部６ｂを尖形に形成したかけ面６を備えている。スチーム孔５は、前端部６ａと後端部６ｂの近傍を含めて、かけ面６の広い範囲に多数形成している。
【００２７】
７は気化室４に供給する水を貯える樹脂製のタンク、８は手動操作によってタンク７から気化室４への水の供給と停止をおこなうスチーム釦、９はベース３の上面側を覆うように設けた断熱カバー、１０は断熱カバー９の上方に配設した樹脂製の把手体で、握り部１１を形成している。
【００２８】
１２はアイロン本体１の後部に設けたターミナル部１３を後方から覆うように把手体１０に取り付けた把手裏板で、アイロン本体１の後面から内方へ凹状に窪ませて受電部１４を形成している。受電部１４内には、ヒータ２回路と接続している受電端子１５がターミナル部１３から受電部１４内に後方へ突出している。
【００２９】
アイロン本体１を載置するスタンド１６は、ベース３を前上がりに傾斜させて載置する載置部１７を有し、載置部１７にはベース３のかけ面６を下方から支持するローラーで構成した支持体１７ａを設けている。支持体１７ａに支持されたかけ面６の傾斜角度は、置き易く取り外しが容易な２０〜３０°に設定してあり、ローラーによって後方へ移動するようになっている。支持体１７ａは、ベース３の前後方向に２か所設けてあり、かけ面６の前部と後部を離れた位置で安定的に支持する。
【００３０】
スタンド１６の後部には、載置部１７に載置されたアイロン本体１の受電部１４が嵌合する凸状の給電部１８を設けている。この給電部１８の前面にはアイロン本体１の載置時に受電端子１５が貫通する孔１９が左右方向に設けてあり、給電部１８内に設けた電極２０に受電端子１５が接続されるように構成している。
【００３１】
給電部１８内には、アイロン本体１がスタンド１６から取り外されているときに、孔１９を閉じる方向へバネ付勢された開閉シャッター２１が可動自在に設けられている。アイロン本体１の載置時は、受電部１４に設けた支持部２２により開閉シャッター２１の操作部２１ａを後方へ押圧し、受電端子１５側へのバネ付勢力に抗して開閉シャッター２１を
回動させて孔１９を開き、受電端子１５が孔１９を通して電極２０と接続されるように構成している。
【００３２】
支持部２２は、把手裏板１２と一体成型で薄板状に形成するとともに、受電部１４内の上部に垂直方向に設けてあり、受電端子１５の上方に配設し後方へ突出させている。給電部１８の上面には、支持部２２が嵌入可能な溝状のスリット２３がアイロン本体１の変位方向、すなわち、前後方向に形成してあり、スリット２３に支持部２２が所定の長さで嵌合することでアイロン本体１の変位方向が規制される。
【００３３】
支持部２２が嵌入するスリット２３の入り口、すなわち、給電部１８の前面にスリット２３に向かって傾斜する誘導部１８ａを設けている。誘導部１８ａは、略Ｖ字状に形成され、スリット２３の前端部分から前方に向かって左右方向へ開くように傾斜しており、スタンド１６への載置時に支持部２２の先端が誘導部１８ａの傾斜面に当接したとき、スリット２３の前端部分である入り口に向かって傾斜面を滑動し、スリット２３内へと誘導される。
【００３４】
給電部１８の前面の下部、すなわち、誘導部１８ａの下方には、アイロン本体１の受電部１４に向かって円弧状に突出する膨出部１８ｂを形成してあり、スタンド１６への載置時に受電部１４の開放端１４ａが膨出部１８ｂに当接したとき、円弧面に沿って開放端１４ａが左右方向へ滑動し、受電部１４が給電部１８に嵌合するようにアイロン本体１の後部を変位させる。
【００３５】
したがって、アイロン本体１をスタンド１６へ載置するときは、給電部１８の前面の上部に設けた誘導部１８ａと、給電部１８の前面の下部に設けた膨出部１８ｂとで、アイロン本体１の受電部１４を的確に給電部１８嵌合させて、受電端子１５と電極２０を確実に接続させることができる。
【００３６】
給電部１８の下方には、アイロン本体１の載置時にベース３の後端部６ｂを収容する収容部２４が設けてあり、アイロン本体１をスタンド１６に載置したとき、受電端子１５と電極２０の接続部がベース３の後端部６ｂより前方に位置するように設定している。つまり、ベース３の後端部６ｂより前方に受電端子１５の先端が位置するようにしている。
【００３７】
収容部２４は、載置部１７の上面を後方に向かって先細り状に形成してあり、尖った形状の後端部６ｂが給電部１８の下方にコンパクトに収容されるようにしている。そして、アイロン本体１は、タンク７が形成された側面１０ａを受電部１４の開放端１４ａに向かって先細り状に形成している。
【００３８】
受電端子１５の下方には、ベース３の後端部６ｂの上面側を覆うようにカバー部２５が設けてあり、受電部１４を形成している把手裏板１２を下方へ延設してカバー部２５を形成している。そして、カバー部２５は、その外周縁をベース３の外周縁に沿って後端部６ｂまで形成し、後端部６ｂの上方を後端部６ｂと略同形状で覆っている。
【００３９】
スタンド１６の後部には、給電部１８の両側に放熱空間２６が設けてあり、収容部２４を介して給電部１８の両側と連通するように形成し、外部の空気と円滑に置換されるようにしてあり、アイロン本体１をスタンド１６に載置したとき、収容部２４に位置し高温に加熱されるベース３の後端部６ｂの熱を収容部２４から外部へ放出し、給電部１８が過熱されるのを防止するようにしている。
【００４０】
アイロン本体１をスタンド１６に載置する載置部１７の両側に、アイロン本体１の受電部１４を給電部１８へ案内するガイド部２７が設けてあり、このガイド部２７の後端２７
ａと給電部１８との間に放熱空間２６が形成され、放熱に十分な空間を確保している。載置部１７の両側に設けたガイド部２７の間隔は、スタンド１６の後部に設けられている給電部１８に近づくにしたがって狭くなっており、アイロン本体１の後部に設けた受電部１４が給電部１８へスムースに嵌合するようにしている。
【００４１】
給電部１８は、収容部２４の上面を構成する下面１８ｃを前上がりに傾斜させてあり、アイロン本体１がスタンド１６から容易に取り外すことができるようにしている。また、下面１８ｃの後部は、後端部６ｂが収容部２４に収容されるように後端部６ｂの後方へ延設している。
【００４２】
カバー部２５の上面側には、収容部２４の下面１８ｃ側へ円弧状に膨出させたリブ２５ａを設けており、アイロン本体１をスタンド１６へ載置するときと、スタンド１６から取り外すときに、アイロン本体１の変位方向、すなわち、前後方向に設けたリブ２５ａの頂部が給電部１８の下面１８ｃに当接して、スムースに着脱できるようにしている。
【００４３】
握り部１１の上面側に温度設定部２８が設けてあり、かけ面６を所定の温度（例えば、８０〜２００℃）に加熱されるように設定する。温度設定部２８でアイロンかけをおこなう繊維に適した温度に設定すると、握り部１１内に配設した温度制御部２９によりヒータ２への通電を制御し、サーミスタ等の温度検知部３０によりベース３の温度を検知して設定された温度に制御される。
【００４４】
温度設定部２８の前方には、温度表示部３１が設けられている。温度表示部３１は、例えば、低、中、高等の温度を示す目盛と、この目盛に対応したＬＥＤ等のランプが設けてあり、設定された温度と、現在温度等を表示することができる。
【００４５】
握り部１１には、前後方向（矢印イ方向）に摺動可能なシャッター３２が設けられている。シャッター３２を後方へ移動させることによって温度設定部２８を握り部１１の上面に露出させることができ、前方へ移動させることによって、温度設定部２８をシャッター３２で上方から覆蓋し、覆い隠すことができるようにしている。シャッター３２は、温度設定部２８が露出する位置へ移動させたときは握り部１１内に収容され、握り具合が損なわれないようにしている。
【００４６】
以上のように構成された本発明のアイロンについて、以下、その動作、作用を説明する。アイロンかけをおこなうときは、スタンド１６の載置部１７に設けられている支持体１７ａ上にアイロン本体１のかけ面６を載置し、受電端子１５が電極２０に接続された状態で、電源コード３３を通じて電極２０に通電する。
【００４７】
温度設定部２８が握り部１１の上面に露出するように、シャッター３２を後方へ移動させて、露出した温度設定部２８を押圧し、アイロンかけをおこなう繊維に適した所定の温度（例えば、２００℃）に加熱されるように設定するとともに、温度表示部３１に設定温度が表示されるように操作する。気化室４が水の蒸発可能温度に上昇すると、スチーム釦８の手動操作によってタンク７内の水を気化室４へ滴下供給することができる。
【００４８】
給電部１８の下方にベース３の後端部６ｂを収容する収容部２４が設けてあり、アイロン本体１をスタンド１６に載置したとき、受電端子１５と電極２０の接続部がベース３の後端部６ｂより前方に位置するように設定しているので、かけ面６の面積を大きく減少させることなく後端部６ｂを尖形に形成してかけ面６の熱容量を確保することができる。したがって、余熱を利用したコードレスアイロンにおいても後端部６ｂを尖形に形成することが可能になり、スチームを利用したアイロンかけ時の温度低下を少なくすることができ、使い勝手のよいコードレスアイロンを実現することができる。
【００４９】
握り部１１を把持してアイロン本体１をスタンド１６から取り外し、衣類等の上を前後方向へ押圧しながら移動させると、前進時は尖った前端部６ａによって衣類を押し広げながらしわ伸ばしがおこなえ、また、図２に示すように、後端部６ｂを前端部６ａと略同じ尖り角度に尖った形状に形成しているので、後退時も前進時と同様に衣類を押し広げながらしわを伸ばすことができるので、戻りじわの発生を防止することができ、後端部６ｂの方向へアイロンを移動させるときの使い勝手をよくすることができる。
【００５０】
また、ベース３の後端部６ｂが電極２０と接続する受電端子１５の後端部から後方へ突出するので、アイロンかけの後退時に後端部６ｂの視認性を確保し、前進と後退の両方向移動で効率よくアイロンかけがおこなえる。
【００５１】
また、前端部６ａを前向きにして把持した前進動作の状態で、アイロン本体１を後退させることができるとともに、アイロン本体１の向きを変えることなく他方の手に持ち替えると、後端部６ｂを前にして前進させることができる。
【００５２】
このとき、温度設定部２８は握り部１１を把持した手で隠れ、握り部１１を握る力が温度設定部２８に作用して不用意に押圧される。そこで、シャッター３２を前方へ移動させて温度設定部２８を上方から覆蓋した状態で使用することにより、アイロンかけ中に設定温度が不用意に変更されないようにすることができる。
【００５３】
設定温度は、アイロンかけをおこなう繊維に合わせて設定されており、同じ衣類に対してアイロンをかけている間は、設定温度を変更することはなく、アイロンかけ中にシャッター３２を開閉する操作は発生しない。したがって、アイロンかけ中にアイロン本体１の向きを変えることなく他方の手に持ち替えることができ、前端部６ａまたは後端部６ｂを前にして前進させることができ、アイロンかけ中に設定温度が不用意に変更されることなく、使い勝手をよくすることができる。
【００５４】
また、シャッター３２の開閉操作時の摺動方向を握り部１１の前後方向に設定し、後方への移動により温度設定部２８が露出するようにしたものであり、シャッター３２の移動量を少なくすることができる。温度設定部２８は、一般に温度を表示する温度表示部３１の後方側に設けられるため、少なくとも温度設定部２８を覆蓋することによって、設定温度が不用意に変更される誤操作を防止することができる。
【００５５】
また、シャッター３２は、温度設定部２８が露出する位置へ移動させたとき、握り部１１内に収容されるようにしたものであり、温度設定部２８を操作可能な状態にしたときにシャッター３２が握り部１１の表面に露出することがなく、握り具合が損なわれるのを防止して、使い勝手をよくすることができる。
【００５６】
また、アイロン本体１の側面１０ａを受電部１４の開放端１４ａに向かって先細り状に形成しているので、アイロンかけ時の後退時はもとより、後端部６ｂを前にした前進時も、ベース３の後端部６ｂの視認性を良好に確保することができ、後端部６ｂの方向へアイロン本体１を移動させるときの使い勝手をよくすることができる。
【００５７】
したがって、受電部１４の開放端１４ａは後端部６ｂの近傍に位置することから、必然的に小さくなり、開放端１４ａが外側から嵌合する給電部１８も左右方向に小さく構成する必要がある。
【００５８】
本発明では、受電部１４を給電部１８へ導く誘導部１８ａと膨出部１８ｂを給電部１８の前面に設けるとともに、支持部２２が嵌入するスリット２３を給電部１８の上面の中央
部に設け、さらに、支持部２２と、給電部１８の下面１８ｃに当接するカバー部２５に設けたリブ２５ａを、受電部１４の左右方向の略中央位置に設けて給電部１８の左右方向の大きさを小型化し、アイロン本体１の側面１０ａが後端部６ｂの方向へ先細りした形状を実現している。
【００５９】
（実施の形態２）
図６は、本発明の第２の実施の形態におけるアイロンの側面図、図７は、同アイロンの温度設定部が露出した状態の要部上面図、図８は、同アイロンの温度設定部が露出した状態の要部断面図、図９は、同アイロンの温度設定部が覆蓋された状態の要部上面図、図１０は、同アイロンの温度設定部が覆蓋された状態の要部断面図である。
【００６０】
本実施の形態の特徴は、シャッター３４を略筒状に形成し、開閉操作時の摺動方向を握り部１１の周方向に設定したものである。他の構成は第１の実施の形態と同じであり、詳細な説明は第１の実施の形態のものを援用する。
【００６１】
略筒状に形成したシャッター３４は、握り部１１の略中心位置を前後方向に延びる軸１１ａを中心として、握り部１１に対して周方向（矢印ロ方向）に回動可能に設けてあり、握り部１１に設けた温度設定部２８を覆蓋する位置と、露出する位置に保持することができる。
温度設定部２８は、握り部１１に設けた空洞部１１ｂ内に、タクトスイッチ２８ａを設けたプリント基板２８ｂを配設して構成してあり、タクトスイッチ２８ａを押圧することによって所望の温度に設定することができる。
タクトスイッチ２８ａの利点は、少しの押圧ストロークで軽く操作ができることであるが、一方で、温度設定部２８が設けられている握り部１１は、しわを伸ばすために強く握られることがあり、使用中に生じやすい誤操作の防止と、温度設定の操作性を両立させることができる。
【００６２】
シャッター３４に切欠き部３４ａが設けてあり、温度設定部２８を握り部１１に露出させるときは、シャッター３４を回動させて切欠き部３４ａを温度設定部２８に対向させることによって操作可能に露出させることができる。
上記構成によれば、シャッター３４を略筒状に形成し、開閉操作時の摺動方向を握り部１１の周方向に設定したものであり、アイロンを前後方向へ移動させたときに、握り部１１に力が作用する方向と交差する方向に、シャッター３４の摺動方向を設定することができ、使用中にシャッター３４の位置が不用意に変位することがなく、所定の位置に保持することができる。また、シャッター３４に、温度設定部２８を露出させる切欠き部３４ａを設けたものであり、温度設定部２８の露出と覆蓋を容易におこなうことができる。
【００６３】
なお、実施の形態１、２において、シャッター３２、３４を透明体、または半透明体で構成すれば、温度設定部２８の覆蓋時に温度設定部２８を視認可能にすることができる。また、温度設定部２８に近接して温度表示部３１を設け、温度設定部２８と温度表示部３１を覆蓋した場合にも、設定温度あるいは現在温度を視認することができ、使い勝手をよくすることができる。また、本実施の形態２の温度設定部２８の構成は、図示しない実施の形態１においても同様の構成であり、タクトスイッチを設けたプリント基板を握り部１１内に配設して構成している。
【００６４】
なお、本実施の形態１、２は、温度制御部２９を電子制御にておこなうようにしたが、バイメタルによって熱を感知する一般的なサーモスタットで構成してもよい。この場合、温度設定部２８は、サーモスタットの動作温度を機械的に調節するツマミ等の操作部によって構成することができる。
【００６５】
また、本実施の形態１、２は、アイロン本体１をスタンド１６に載置して加熱し、使用時は、スタンド１６からアイロン本体１を取り外してアイロンかけをおこなうコードレスアイロンについて記載したが、アイロン本体に電源コードが接続されたコード付きアイロンであっても同様の作用効果が得られることは言うまでもない。
【００６６】
なお、本発明の実施の形態は、その一部を実施してもよく、また記載された範囲内において任意に組み合わせて実施することができる。
【産業上の利用可能性】
【００６７】
以上のように、本発明にかかるアイロンは、後端部の方向へアイロンを移動させるときの使い勝手の向上と、アイロンかけ中の設定温度が不用意に変更されることを防止することができ、前進と後退の両方向移動で効率よくアイロンかけをおこなうことができるので、アイロンとして有用である。
【符号の説明】
【００６８】
１  アイロン本体
２  ヒータ
３  ベース
６ａ  前端部
６ｂ  後端部
１０  把手体
１１  握り部
１６  スタンド
２８  温度設定部
２９  温度制御部
３２，３４  シャッター
【図４】
2012217531.tif 000003
【図５】
2012217531.tif 000004
【図１】
2012217531.tif 000005
【図２】
2012217531.tif 000006
【図３】
2012217531.tif 000007
【図６】
2012217531.tif 000008
【図７】
2012217531.tif 000009
【図８】
2012217531.tif 000010
【図９】
2012217531.tif 000011
【図１０】
2012217531.tif 000012
【図１１】
2012217531.tif 000013
【図１２】
2012217531.tif 000014